(57)【要約】【課題】移動局から緊急信号を受信した場合に優先的に中央装置に伝送することができる無線システムの無線基地局を提供する。【解決手段】移動局からの信号を無線機２で受信すると、制御部１６は、受信信号が緊急信号か否かを判定し、緊急信号であると判定した場合には、第１のＳ／Ｎ比較部７から緊急情報を出力させると共にデータ伝送接続スイッチ１１を閉じて信号出力回線４と第１のＳ／Ｎ比較部７とを接続させ、第１のＳ／Ｎ比較部７からの緊急情報を信号出力回線４に出力させる。第１のＳ／Ｎ比較部７からの緊急情報は、Ｓ／Ｎ回線９を介して上位無線基地局の第２のＳ／Ｎ比較部８にも伝送され、上位無線基地局の制御部１６は接続切替部３を切り替えて信号出力回線４を下位無線基地局に接続させる。従って、第１のＳ／Ｎ比較部７から出力された緊急情報が上位無線基地局を経て中央装置にまで伝送される。【選択図】図１
2009206677.tif 000002
【特許請求の範囲】
【請求項１】
中央装置に接続された信号出力回線上に沿って複数の無線基地局が縦列接続された無線システムにおける無線基地局であって、
移動局からの信号を受信する無線機と、
前記無線機の受信レベルを検出する受信レベル検出部と、
上位無線基地局における受信レベルと前記受信レベル検出部で検出された自局の受信レベルとを比較する第１のＳ／Ｎ比較部と、
下位無線基地局における受信レベルと前記受信レベル検出部で検出された自局の受信レベルとを比較する第２のＳ／Ｎ比較部と、
前記信号出力回線を前記無線機と下位無線基地局の一方に選択的に接続する接続切替部と、
前記信号出力回線と前記第１のＳ／Ｎ比較部との間に接続されたデータ伝送接続スイッチと、
通常時は前記第１のＳ／Ｎ比較部における比較結果と前記第２のＳ／Ｎ比較部における比較結果とに基づいて前記接続切替部を切替制御し、前記無線機が緊急信号を受信したときには前記第１のＳ／Ｎ比較部から緊急情報を出力させると共に前記データ伝送接続スイッチを閉じて緊急情報を前記信号出力回線に出力させる制御部と
を備えたことを特徴とする無線システムの無線基地局。
【発明の詳細な説明】
【技術分野】
【０００１】
本発明は無線システムの無線基地局に係り、特に列車無線システム等の緊急度の高い情報を伝送するシステムの無線基地局に関するものである。
【背景技術】
【０００２】
従来から、中央装置に接続された信号出力回線上に沿って複数の無線基地局が縦列接続され、移動局からの信号を各無線基地局で受信する列車無線システムが知られている。このような列車無線システムにおける従来の無線基地局のブロック図を図２に示す。
無線基地局１は、移動局からの信号を受信する無線機２を有し、無線機２の出力が接続切替部３を介して信号出力回線４に接続されている。また、無線機２には、受信レベル検出部５が接続され、受信レベル検出部５に接続切替部３の切替制御を行う制御部６が接続されている。さらに、上位無線基地局における受信レベルと自局の受信レベルとを比較する第１のＳ／Ｎ比較部７と、下位無線基地局における受信レベルと自局の受信レベルとを比較する第２のＳ／Ｎ比較部８とが制御部６に接続されている。なお、第１のＳ／Ｎ比較部７はＳ／Ｎ回線９を介して上位無線基地局の第２のＳ／Ｎ比較部８に接続され、第２のＳ／Ｎ比較部８はＳ／Ｎ回線９を介して下位無線基地局の第１のＳ／Ｎ比較部７に接続されている。
【０００３】
自局の無線機２の受信レベルを受信レベル検出部５で検出すると、制御部６は、受信レベル検出部５で検出された自局の受信レベルを第１のＳ／Ｎ比較部７及び第２のＳ／Ｎ比較部８に伝送する。第１のＳ／Ｎ比較部７は、制御部６から伝送された自局の受信レベルを上位無線基地局における受信レベルと比較してその結果を制御部６に伝送し、第２のＳ／Ｎ比較部８は、制御部６から伝送された自局の受信レベルを下位無線基地局における受信レベルと比較してその結果を制御部６に伝送する。これらの比較結果に基づき、制御部６は、自局の受信レベルが上位無線基地局における受信レベルよりも高く且つ下位無線基地局における受信レベルよりも高い場合に、接続切替部３を制御して信号出力回線４を無線機２の出力に接続させる。一方、自局の受信レベルが上位無線基地局における受信レベルあるいは下位無線基地局における受信レベルよりも低い場合には、制御部６は、接続切替部３を制御して信号出力回線４を無線機２の出力に接続させずに下位無線基地局に接続させる。
【０００４】
これにより、受信レベルが高い無線基地局１の無線機２で受信した信号が信号出力回線４を介して中央装置に伝送されることとなる。
しかしながら、このような従来の無線基地局では、無線機２を介して移動局から緊急信号を受信した場合でも、上位の無線基地局が他の移動局から信号を受信中のときには、自局の受信レベルが上位無線基地局の受信レベルより低いと、自局の無線機２で受信した緊急信号を中央装置に伝送することができなくなる。
【０００５】
特許文献１には、乗客の操作による緊急通報に対して所定の時間内に乗務員が応答しない場合に自動的に緊急通報を中央装置へ転送するようにした列車無線システムが開示されている。
【特許文献１】特開２００５−１４２９９０号公報
【発明の開示】
【発明が解決しようとする課題】
【０００６】
特許文献１に記載のような列車無線システムにおいても、緊急通報は無線基地局を経由して中央装置へと伝送されるため、無線基地局間における受信レベルの比較に応じて無線機の受信信号の接続を切替えるのでは、緊急通報が中央装置まで伝送されないおそれが生じてしまう。
本発明はこのような問題点を解消するためになされたもので、移動局から緊急信号を受信した場合に優先的に中央装置に伝送することができる無線システムの無線基地局を提供することを目的とする。
【課題を解決するための手段】
【０００７】
本発明に係る無線システムの無線基地局は、中央装置に接続された信号出力回線上に沿って複数の無線基地局が縦列接続された無線システムにおける無線基地局であって、移動局からの信号を受信する無線機と、無線機の受信レベルを検出する受信レベル検出部と、上位無線基地局における受信レベルと受信レベル検出部で検出された自局の受信レベルとを比較する第１のＳ／Ｎ比較部と、下位無線基地局における受信レベルと受信レベル検出部で検出された自局の受信レベルとを比較する第２のＳ／Ｎ比較部と、信号出力回線を無線機と下位無線基地局の一方に選択的に接続する接続切替部と、信号出力回線と第１のＳ／Ｎ比較部との間に接続されたデータ伝送接続スイッチと、通常時は第１のＳ／Ｎ比較部における比較結果と第２のＳ／Ｎ比較部における比較結果とに基づいて接続切替部を切替制御し、無線機が緊急信号を受信したときには第１のＳ／Ｎ比較部から緊急情報を出力させると共にデータ伝送接続スイッチを閉じて緊急情報を信号出力回線に出力させる制御部とを備えたものである。
【発明の効果】
【０００８】
この発明によれば、無線機で緊急信号を受信すると受信レベルが他の無線基地局より低くても確実に緊急情報を中央装置に伝送することが可能となる。
【発明を実施するための最良の形態】
【０００９】
以下、本発明の実施の形態を添付図面に基づいて説明する。
図１に、本発明の実施の形態に係る列車無線システムの無線基地局の構成を示す。無線基地局１０、移動局からの信号を受信する無線機２を有し、無線機２の出力が接続切替部３を介して信号出力回線４に接続されている。無線機２には、受信レベル検出部５が接続され、受信レベル検出部５に制御部１６が接続されている。また、上位無線基地局における受信レベルと自局の受信レベルとを比較する第１のＳ／Ｎ比較部７と、下位無線基地局における受信レベルと自局の受信レベルとを比較する第２のＳ／Ｎ比較部８とが制御部１６に接続されている。さらに、信号出力回線４と第１のＳ／Ｎ比較部７との間にデータ伝送接続スイッチ１１が接続され、このデータ伝送接続スイッチ１１と接続切替部３が制御部１６に接続されている。なお、第１のＳ／Ｎ比較部７はＳ／Ｎ回線９を介して上位無線基地局の第２のＳ／Ｎ比較部８に接続され、第２のＳ／Ｎ比較部８はＳ／Ｎ回線９を介して下位無線基地局の第１のＳ／Ｎ比較部７に接続されている。
【００１０】
すなわち、この実施の形態に係る無線基地局１０は、図２に示した従来の無線基地局１において、制御部６の代わりに制御部１６を配置し、信号出力回線４と第１のＳ／Ｎ比較部７との間にデータ伝送接続スイッチ１１を接続して、このデータ伝送接続スイッチ１１に制御部１６を接続したものである。
【００１１】
制御部１６は、第１のＳ／Ｎ比較部７における比較結果と第２のＳ／Ｎ比較部８における比較結果とに基づいて接続切替部３を切替制御すると共に、無線機２で受信した移動局からの信号が緊急信号であるか否かを判定する機能を有しており、緊急信号か否かの判定結果に基づいてデータ伝送接続スイッチ１１を開閉制御する。なお、通常は、データ伝送接続スイッチ１１は開いており、信号出力回線４と第１のＳ／Ｎ比較部７は互いに接続されていないものとする。また、制御部１６は、下位無線基地局に接続されている第２のＳ／Ｎ比較部８がＳ／Ｎ回線９を介して下位無線基地局から緊急情報を受け取ると、他の無線基地局との受信レベルの比較結果に関わらずに接続切替部３を制御して信号出力回線４を下位無線基地局に接続させる。
【００１２】
次に、この実施の形態の動作について説明する。
移動局からの信号を無線機２で受信すると、制御部１６は、受信信号が緊急信号か否かを判定する。緊急信号でない場合には、制御部１６により受信レベル検出部５で検出された自局の受信レベルが第１のＳ／Ｎ比較部７及び第２のＳ／Ｎ比較部８に伝送され、第１のＳ／Ｎ比較部７は、制御部６から伝送された自局の受信レベルを上位無線基地局における受信レベルと比較してその結果を制御部６に伝送し、第２のＳ／Ｎ比較部８は、制御部６から伝送された自局の受信レベルを下位無線基地局における受信レベルと比較してその結果を制御部６に伝送する。これらの比較結果に基づき、制御部６は、接続切替部３を切替制御することにより、信号出力回線４を無線機２と下位無線基地局の一方に選択的に接続させる。
【００１３】
すなわち、自局の受信レベルが上位無線基地局における受信レベルよりも高く且つ下位無線基地局における受信レベルよりも高い場合には、接続切替部３を制御して信号出力回線４を無線機２の出力に接続させ、自局の受信レベルが上位無線基地局における受信レベルあるいは下位無線基地局における受信レベルよりも低い場合には、接続切替部３を制御して信号出力回線４を下位無線基地局に接続させる。
これにより、受信レベルが高い無線基地局１の無線機２で受信した信号が信号出力回線４を介して中央装置に伝送されることとなる。
【００１４】
一方、無線機２で受信した信号が緊急信号であると判定した場合には、制御部１６は、第１のＳ／Ｎ比較部７から緊急情報を出力させると共にデータ伝送接続スイッチ１１を閉じて信号出力回線４と第１のＳ／Ｎ比較部７とを接続させ、第１のＳ／Ｎ比較部７からの緊急情報を信号出力回線４に出力させる。
このとき、第１のＳ／Ｎ比較部７からの緊急情報は、Ｓ／Ｎ回線９を介して上位無線基地局の第２のＳ／Ｎ比較部８に伝送されるので、上位無線基地局が移動局から受信中のために、この上位無線基地局において接続切替部３により信号出力回線４が無線機２に接続していても、上位無線基地局の制御部１６は接続切替部３を切り替えて信号出力回線４を下位無線基地局に接続させる。従って、第１のＳ／Ｎ比較部７から出力された緊急情報が上位無線基地局を経て中央装置にまで伝送されることとなる。
【００１５】
また、他の無線基地局が移動局から受信中で自局の接続切替部３により信号出力回線４と下位無線基地局が接続しているときには、自局の受信レベルが他の無線基地局における受信レベルより低くても、制御部１６は、信号出力回線４が無線機２に接続されるように接続切替部３を切り替える。
これにより、無線機２で緊急信号を受信した場合に、受信レベルが他の無線基地局より低くても確実に緊急情報を中央装置に伝送することができ、迅速な対応をとることが可能となる。
【００１６】
上記の実施の形態では、列車無線システムの無線基地局について説明したが、本発明はこれに限るものではなく、緊急度の高い情報を伝送する必要のある無線システムに広く適用することができる。
【図面の簡単な説明】
【００１７】
【図１】本発明の実施の形態に係る列車無線システムの無線基地局の構成を示すブロック図である。
【図２】従来の無線基地局の構成を示すブロック図である。
【符号の説明】
【００１８】
２  無線機、３  接続切替部、４  信号出力回線、５  受信レベル検出部、７  第１のＳ／Ｎ比較部、８  第２のＳ／Ｎ比較部、９  Ｓ／Ｎ回線、１０  無線基地局、１１  データ伝送接続スイッチ、１６  制御部。
【図１】
2009206677.tif 000003
【図２】
2009206677.tif 000004